(57)【要約】【課題】インペラの位置合わせを容易に且つ正確に行うことができる縦軸型曝気装置を提供する。【解決手段】水処理設備の反応槽に用いられ、縦軸１３の下部にインペラ１２を有し、インペラ１２の回転により循環水路の被処理水を曝気し攪拌流を形成する縦軸型曝気装置において、縦軸１３に、気液界面Ｓに一致することによりインペラ１２を最適な曝気位置とすることが可能なマーキング２０を設け、これにより、据付後の水張時（運転前）に、単にマーキング２０が気液界面Ｓの位置となるように位置合わせをすればよく、インペラ１２の位置合わせを容易に且つ正確に行うことができる。【選択図】図４
2013049045.tif 000002
【特許請求の範囲】
【請求項１】
水処理設備の反応槽に用いられ、縦軸の下部にインペラを有し、前記インペラの回転により前記反応槽の被処理水を曝気し攪拌流を形成する縦軸型曝気装置において、
前記縦軸に、前記被処理水の気液界面に一致することにより前記インペラを最適な曝気位置とすることが可能なマーキングが設けられることを特徴とする縦軸型曝気装置。
【請求項２】
前記反応槽は循環水路を備えるオキシデーションディッチであり、前記オキシデーションディッチに用いられることを特徴とする請求項１に記載の縦軸型曝気装置。
【請求項３】
前記循環水路を覆うスラブに開口され前記縦軸が挿通する開口部を覆うように設けられると共に、前記縦軸を駆動する駆動部を搭載する架台を備え、
前記架台に、前記マーキングを上から視認可能な点検口が設けられることを特徴とする請求項１又は２に記載の縦軸型曝気装置。
【請求項４】
前記縦軸を昇降する昇降装置を備えることを特徴とする請求項１〜３のいずれか一項に記載の縦軸型曝気装置。
【発明の詳細な説明】
【技術分野】
【０００１】
本発明は、縦軸型曝気装置に関する。
【背景技術】
【０００２】
下水等の被処理水の処理方法として、循環水路が形成されたオキシデーションディッチ槽を使用する方法が知られている。このオキシデーションディッチ槽における曝気攪拌機として、縦軸型曝気装置が採用されている（例えば、特許文献１参照）。縦軸型曝気装置は、上下方向に延在する縦軸と、この縦軸の下端に取り付けられるインペラと、縦軸を回転駆動するインペラ回転用電動機とを備える。そして、縦軸型曝気装置は、インペラの回転により攪拌流を形成すると共に、被処理水の気液界面上にインペラの一部を出した標準位置でインペラを回転させる表面曝気と、被処理水にインペラを水没させた状態でインペラを回転させる無酸素攪拌とを行うことにより、被処理水の硝化、脱窒を行うことを可能としている。
【先行技術文献】
【特許文献】
【０００３】
【特許文献１】特開２００４−２９０７９７号公報
【発明の概要】
【発明が解決しようとする課題】
【０００４】
ところで、上記のようなオキシデーションディッチ槽にあっては、目盛板が設けられ、この目盛板により被処理水の気液界面の位置を調節している。一方、縦軸型曝気装置にあっては、被処理水に対して位置合わせをするための明確な基準が特に無く、設計通りの据付を行えば、インペラの被処理水に対する位置は標準位置にあるとされている。しかしながら、実際の据付においては、製品の誤差や、基礎の誤差や、架台等の据付誤差等の種々の誤差により、インペラが標準位置からずれてしまう場合がある。
【０００５】
本発明は、このような実情に鑑みてなされたものであり、インペラの位置合わせを容易に且つ正確に行うことができる縦軸型曝気装置を提供することを課題とする。
【課題を解決するための手段】
【０００６】
上記課題を解決するため、本発明に係る縦軸型曝気装置は、水処理設備の反応槽に用いられ、縦軸の下部にインペラを有し、インペラの回転により反応槽の被処理水を曝気し攪拌流を形成する縦軸型曝気装置において、縦軸に、被処理水の気液界面に一致することによりインペラを最適な曝気位置とすることが可能なマーキングが設けられる。
【０００７】
本発明に係る縦軸型曝気装置にあっては、気液界面に一致することによりインペラを最適な曝気位置にすることが可能なマーキングを備える。よって、据付後の水張時（運転前）に、単にマーキングが気液界面の位置となるように位置合わせをすればよいため、インペラの位置合わせを容易に且つ正確に行うことができる。
【０００８】
ここで、反応槽は循環水路を備えるオキシデーションディッチであり、縦軸型曝気装置がオキシデーションディッチに用いられてもよい。
【０００９】
ここで、循環水路を覆うスラブに開口され縦軸が挿通する開口部を覆うように設けられると共に、縦軸を駆動する駆動部を搭載する架台を備え、架台に、マーキングを上から視認可能な点検口が設けられることが好ましい。この場合、被処理水の気液界面とマーキングとの位置関係を点検口から視認することが可能となるため、循環水路を覆うスラブが設けられる場合においても、容易に位置合わせを行うことができる。
【００１０】
また、縦軸を昇降する昇降装置を備えることが好ましい。この場合、据付後においても、容易に位置合わせを行うことができる。
【発明の効果】
【００１１】
本発明によれば、インペラの位置合わせを容易に且つ正確に行うことができる。
【図面の簡単な説明】
【００１２】
【図１】本実施形態に係る縦軸型曝気措置を備えたオキシデーションディッチを示す概略平面構成図である。
【図２】本実施形態に係る縦軸型曝気装置を示す部分側面断面図である。
【図３】本実施形態に係る縦軸型曝気装置のインペラの形状及びマーキングを示す説明図である。
【図４】本実施形態に係る縦軸型曝気装置のインペラの気液界面に対する位置を示す説明図である。
【発明を実施するための形態】
【００１３】
以下、本発明による縦軸型曝気装置の好適な実施形態について図１〜図４を参照しながら説明する。なお、各図において、同一の要素には同一の符号を付し、重複する説明は省略する。
【００１４】
先ず、本発明に係る縦軸型曝気装置を備えるオキシデーションディッチ（反応槽）１について、図１を参照しながら説明する。図１は、本実施形態に係る縦軸型曝気装置１０を備えたオキシデーションディッチ１を示す概略構成図である。
【００１５】
オキシデーションディッチ１は、下水等の被処理水を収容するオキシデーションディッチ槽２と、槽２の被処理水を曝気し攪拌流を形成する縦軸型曝気装置１０と、を具備している。
【００１６】
オキシデーションディッチ槽２は、平面視馬蹄形状を呈し、槽２内に無端状の循環水路４を形成すべく当該槽２内を仕切る仕切壁３を有する。また、オキシデーションディッチ槽２の周囲壁には、被処理水の気液界面Ｓの位置を調節するための目盛板５が設けられる（図４参照）。なお、オキシデーションディッチ槽２には、被処理水を流入する流入部、及び処理水を流出する流出部がそれぞれ設けられ、目盛板５を参照しながら流量を調整することで液面位置を調整できるようになっている。
【００１７】
仕切壁３は、オキシデーションディッチ槽２の周囲壁に沿い平面視Ｕ字状に形成される。縦軸型曝気装置１０は、オキシデーションディッチ槽２の仕切壁３の一端（図示左上端）付近と、オキシデーションディッチ槽２の仕切壁３の他端（図示左下端）とに、それぞれ１台ずつ設置されている。なお、オキシデーションディッチ槽２の縦軸型曝気装置１０を除く部分は、オキシデーションディッチ槽２の天井壁を成すスラブ６（図２参照）により上から覆われている。
【００１８】
縦軸型曝気装置１０は、図２に示すように、回転羽根であるインペラ１２と、このインペラ１２を下端に有し鉛直方向に延びる縦軸１３と、この縦軸１３を駆動しインペラ１２を当該縦軸１３の軸線回りに回転する電動機及びインペラ１２を昇降させる昇降装置を備える駆動部１４と、駆動部１４を搭載する架台１６とを備える。縦軸型曝気装置１０は、駆動部１４が架台１６に載置されて一体のユニットとされている。そして、インペラ１２（縦軸１３）は、例えば特開平１１−２９０８８５号公報や特開２０１０−２０３３５１号公報等に記載の昇降装置により昇降可能とされる。
【００１９】
架台１６は、循環水路４を覆うスラブ６に開口される開口部９を覆うように設けられ、縦軸１３は、この開口部９を挿通し、当該開口部９から下方に延びている。この架台１６には、インペラ１２や気液界面（液面）Ｓを上から視認可能な点検口１７が設けられる。そして、インペラ１２は、その一部が気液界面Ｓよりも上方に位置し、この位置が、好気処理を最適に行うためのインペラ１２の標準位置とされている。
【００２０】
そして、本実施形態のオキシデーションディッチ１は、所定時間インペラ１２を標準位置に位置させ、曝気攪拌することによって、槽全体を好気領域とし、その後、所定時間インペラ１２を昇降装置により水没させて無酸素攪拌することにって、槽全体を無酸素領域とし、これらを繰り返す。
【００２１】
特に、本実施形態にあっては、縦軸１３にマーキング２０が設けられている。
【００２２】
このマーキング２０は、図３に示すように、縦軸１３におけるインペラ１２の付け根部分の上方近傍に設けられ、より具体的には、インペラ１２の縦軸１３に対する付け根部分よりも上方、且つインペラ１２の最上端よりも下方の位置に設けられる。この位置にマーキング２０が設けられることにより、マーキング２０を気液界面Ｓに合わせれば、インペラ１２は、好気処理を行うための最適な曝気位置である標準位置に位置する。
【００２３】
なお、縦軸１３にマーキング２０を施す手段としては、例えば黒色のエナメル塗装を採用することができる。また、塗装のほか、縦軸１３に、テープを貼り付けたり、金具を設けたりして、これらをマーキング２０として用いてもよい。
【００２４】
そして、図４に示すように、気液界面Ｓの位置を目盛板５を用いて調節し、インペラ１２を被処理水に浸漬し昇降装置により上下位置を調節しながらマーキング２０の位置を気液界面Ｓに一致させることにより、インペラ１２を標準位置に位置させることができる。
【００２５】
このように、本実施形態の縦軸型曝気装置１０にあっては、据付後の水張時（運転前）に、単にマーキング２０が気液界面Ｓの位置となるように位置合わせをすればよいだけであるため、インペラ１２の位置合わせを容易に且つ正確に行うことができる。
【００２６】
また、縦軸型曝気装置１０は、架台１６に気液界面Ｓ及びマーキング２０を視認可能な点検口１７を備えるため、被処理水の気液界面Ｓとマーキング２０との位置関係を点検口１７から視認でき、循環水路４を覆うスラブ６が設けられていても、容易にインペラ１２の位置合わせを行うことができる。
【００２７】
さらに、インペラ１２は、昇降可能とされるため、据付後においても、容易に位置合わせを行うことができる。
【００２８】
以上、本発明をその実施形態に基づき具体的に説明したが本発明は上記実施形態に限定されるものではない。例えば、上記実施形態では、マーキング２０を、インペラ１２が最適な曝気位置に位置するように設けているが、気液界面Ｓと一致させることにより、インペラ１２を完全に水没させた最適な無酸素攪拌位置とすることができる無酸素攪拌用のマーキングを更に設けてもよい。
【００２９】
また、上記実施形態にあっては、特に好適であるとして、インペラ１２を昇降させる昇降装置が設けられる例について説明したが、昇降装置はなくてもよい。すなわち、据付後の水張時（運転前）に、昇降装置がない場合でも、架台１６を例えばジャッキ等により上下動させたり、架台１６の下部に別途板部材等を挟み込む等してインペラ１２の位置を変更することにより、マーキング２０の位置を気液界面Ｓの位置に合わせることができる。この場合の無酸素攪拌は、インペラ１２を曝気位置に維持した状態でゆっくり低速で回転させ酸素を巻き込まないように攪拌すればよい。
【００３０】
また、例えば図１に示すオキシデーションディッチ１において、２つ設けられる縦軸型曝気装置１０のうち一方を上流側、他方を下流側とし、上流側のインペラ１２が上記のように無酸素攪拌を行うことにより、上流側のインペラ１２から下流側のインペラ１２までの領域を無酸素領域とし、下流側のインペラ１２が曝気攪拌を行うことにより、下流側のインペラ１２から上流側のインペラ１２までの領域を好気領域としてもよく、要は、無酸素領域と好気領域を循環水路内に有するオキシデーションディッチに対しても適用できる。
【００３１】
また、上記では、オキシデーションディッチ槽２の循環水路４が馬蹄形である例について説明したが、循環水路の形状は無終端状に形成されたものであれば特に限定されず、馬蹄形の他に、例えば長円形とすることもでき、また、縦軸型曝気装置１０の個数も限定されるものではない。
【００３２】
さらに、本実施形態では、特に好ましいとして、縦軸型曝気装置１０を反応槽であるオキシデーションディッチ１に適用しているが、水処理設備の反応槽に対して適用できる。
【符号の説明】
【００３３】
１…オキシデーションディッチ、４…循環水路、６…スラブ、９…開口部、１０…縦軸型曝気装置、１２…インペラ、１３…縦軸、１４…駆動部、１６…架台、１７…点検口、２０…マーキング、Ｓ…気液界面。
【図１】
2013049045.tif 000003
【図２】
2013049045.tif 000004
【図３】
2013049045.tif 000005
【図４】
2013049045.tif 000006